(57)【要約】【課題】傘の中軸に対する手元の取付けおよび取外しを容易にし、かつ手元が中軸から不用意に外れないようにする。【解決手段】傘の手元１０の中軸挿入孔１０ａ内に挿入されるパイプ状中軸２内に、中軸２の壁面に形成された孔８４を通じて出没可能な手元固定ピン８１と、手元固定ピン８１を突出方向に付勢するバネ部材８２とを収容し、手元１０の中軸挿入孔１０ａの周壁１０ｂには、手元固定ピン８１と係合する係合凹部９０を内周面から途中まで形成し、係合凹部９０から外周面までは、係合凹部９０に係合した手元固定ピン８１を針状工具により外部から押圧するのを可能にする細孔９１を設ける。【選択図】図１０
2008125956.tif 000002
【特許請求の範囲】
【請求項１】
手元の中軸挿入孔に挿入される中軸のパイプ状端部内に、該端部の壁面に形成された孔を通じて外周面に出没可能な先端部を備えた手元固定ピンと、前記先端部が前記中軸の端部の外周面から突出する方向に前記手元固定ピンを付勢するバネ部材とが収容され、前記手元の中軸挿入孔の周壁には、前記手元固定ピンの先端部と係合する係合部が形成されてなる傘の手元の取付け構造において、
前記係合部が、前記中軸挿入孔の内周面から前記周壁の中途まで形成された係合凹部からなり、該係合凹部に係合した前記手元固定ピンを針状工具により外部から押圧するのを可能にする細孔が前記係合凹部から前記外周面に通じていることを特徴とするリサイクル傘の手元の取付け構造。
【請求項２】
前記係合凹部が、前記手元の中軸挿入孔の内周面に環設された溝からなることを特徴とする請求項１記載の手元の取付け構造。
【請求項３】
前記手元の中軸挿入孔の内周面の一部が、該中軸挿入孔に圧入された円筒状ブッシュの内周面によって形成され、前記係合凹部が前記ブッシュに形成された孔からなることを特徴とする請求項１記載の手元の取付け構造。
【請求項４】
前記中軸のパイプ状端部の先端と、前記手元の中軸挿入孔の底壁との間に、前記中軸と前記手元との間の相対的回転を防止する凹凸係合手段が設けられ、該凹凸係合手段は、前記中軸の先端縁の一部に形成された切欠けと、前記中軸挿入孔の底壁に形成された、前記切欠けと係合する係合部とからなることを特徴とする請求項１から３のいずれか１項記載の手元の取付け構造。
【発明の詳細な説明】
【技術分野】
【０００１】
本発明は、製作時における組立てが容易であるのみでなく、修理および分解が容易で、材質別に分別することができ、さらに再利用を可能にすることを目的としたリサイクル傘に関し、特に中軸（支柱）に対する手元の取付け構造に関するものである。
【背景技術】
【０００２】
通常の傘は、金属製部材（中軸、親骨，支え骨等）と、一般に合成樹脂（以下単に「樹脂」と呼ぶ）からなる非金属製部材（手元、上ろくろ、下ろくろ、シート等）から構成されているが、各部材は恒久的にあるいは分解が極めて困難な状態で連結されている。
【０００３】
したがって、従来の傘は、製作時における組立てに手間がかかるのみでなく、壊れた傘を廃棄する場合に、金属製部材と非金属製部材とを分離して分別廃棄することが困難なため、貴重な資源のリサイクルを困難にしていた。
【０００４】
最近、特に環境汚染問題がクローズアップされている中、傘の分別廃棄を義務付ける地方自治体も多くなってきたために、傘の金属製部材と非金属製部材との分別廃棄を容易にすることが要望されている。
【０００５】
特許文献１には、傘の中軸（支柱）と手元とをワンタッチで簡単容易に結合することができ、かつ一旦組み付けた手元を容易に中軸から取り外すことができる手元の取付け構造が開示されている。
【０００６】
この傘は、手元の中軸挿入孔に挿入される中軸のパイプ状端部内に、この端部の壁面に形成された孔を通じて外周面に出没可能な先端部を備えた係止ピンと、上記先端部が中軸の端部の外周面から突出する方向に上記係止ピンを付勢するバネ部材とが収容され、手元の中軸挿入孔の周壁には、上記係止ピンの先端部と係合して手元を中軸に係止する係止孔が形成された構成を有する。そして、例えば交換等のために手元を中軸から取り外すときには、手元の外周面に開口する係止孔に臨んでいる係止ピンの頭を押すだけで容易に取り外すことができる利点を有するものである。
【特許文献１】特開２００３−３３２１０号公報
【発明の開示】
【発明が解決しようとする課題】
【０００７】
しかしながら、特許文献１に開示された傘の手元の取付け構造においては、手元の外周面に係止孔が開口していることにより、不用意に係止孔にピン等を差し込んだ場合に手元が中軸から外れてしまう問題があり、また外観上の問題もあるため、キャップあるいは玉留めを用いて係止孔の開口部を閉塞する必要があった。
【０００８】
また、このような中軸と手元の係止構造は回転方向のガタツキが生じ易いため、特許文献１に開示された傘の手元の取付け構造においては、中軸の端部の周壁に先端から所要長さの凹入溝または切欠き溝を形成するとともに、手元の中軸挿入孔の内周に、上記溝に係合する突起を形成して、中軸と手元との相対的回転を防止しているが、中軸の周壁の肉厚が比較的薄いため、所期の回転方向の抵抗力が得られにくいという問題があった。
【０００９】
上述の事情に鑑み、本発明の目的は、中軸からの手元の取外しが容易であるのみでなく、キャップあるいは玉留め等を用いて開口部を閉塞する必要がなく、かつ中軸に対する手元の回転方向の抵抗力を高めた傘の手元の取付け構造を提供することにある。
【００１０】
なお、以下の説明において、上部または上方は傘の石突き側を意味し、下部または下方は傘の手元側を意味するものとする。
【課題を解決するための手段】
【００１１】
本発明は、手元の中軸挿入孔に挿入される中軸のパイプ状端部内に、この端部の壁面に形成された孔を通じて外周面に出没可能な先端部を備えた手元固定ピンと、上記先端部が中軸の端部の外周面から突出する方向に上記手元固定ピンを付勢するバネ部材とが収容され、手元の中軸挿入孔の周壁には、上記手元固定ピンの先端部と係合する係合部が形成されてなる傘の手元の取付け構造において、
上記係合部が、中軸挿入孔の内周面から周壁の中途まで形成された係合凹部からなり、この係合凹部に係合した手元固定ピンを針状工具により外部から押圧するのを可能にする細孔が係合凹部から外周面に通じていることを特徴とするものである。
【００１２】
上記細孔の内径は、上記係合凹部の内径の三分の一程度（約１ｍｍ程度）に設定されることが望ましい。
【００１３】
また、上記係合凹部は、手元の中軸挿入孔の内周面に環設された溝によって形成することができる。あるいは、手元の中軸挿入孔の内周面の一部を、該軸挿入孔に圧入された円筒状ブッシュの内周面によって形成し、このブッシュに上記係合凹部を形成することもできる。
【００１４】
さらに、上記中軸のパイプ状端部の先端と、手元の中軸挿入孔の底壁との間に、中軸と手元との間の相対的回転を防止する凹凸係合手段が設けられており、この凹凸係合手段は、中軸の先端縁の一部に形成された切欠けと、中軸挿入孔の底壁に形成された、上記切欠けと係合する係合部からなることが好ましい。
【発明の効果】
【００１５】
本発明によれば、手元の中軸挿入孔の周壁に形成された、手元固定ピンの先端部と係合する係合部が、中軸挿入孔の内周面から周壁の中途まで形成された係合凹部からなり、この係合凹部に係合した手元固定ピンを針状工具により外部から押圧するのを可能にする細孔が上記係合凹部から外周面に通じていることにより、中軸からの手元の取外しの容易性を維持しながら、キャップあるいは玉留め等を用いて開口部を閉塞しなくと、機能上も外観上も問題がなくなる。
【００１６】
そして、手元の中軸挿入孔の内周面に環状溝によって上記係合凹部を形成することにより、あるいは、円筒状のブッシュに上記係合凹部を形成することにより、係合凹部の作成がより容易となる利点がある。
【００１７】
また、中軸の下端と手元本体の中軸挿入孔の底壁との間に、中軸と手元本体との間の相対的回転を防止する凹凸係合手段を設けたことにより、中軸に対する手元の回転方向の抵抗力を高めることができる。
【発明を実施するための最良の形態】
【００１８】
以下、図面を参照して本発明による傘の手元の取付け構造の好ましい実施の形態について詳細に説明する。図１は、本発明による手元の取付け構造を備えた傘の閉状態における全体構成を、一部を省略して示す概略図である。
【００１９】
図１において、この傘１は、金属製の中軸（支柱）２と、この中軸２の上端部に嵌装固定された合成樹脂製の上ろくろ３と、この上ろくろ３に根元部を枢着された複数の金属製親骨４と、これら親骨４に沿って張架された布製または樹脂製の生地（シート）Ｓと、上ろくろ３を生地Ｓとともに中軸２に固定する陣笠５と、中軸２に摺動自在に嵌装された合成樹脂製の下ろくろ６と、この下ろくろ６に根元部を枢着されかつ先端部を親骨４の中間部の点Ｐにおいて枢着された複数の金属製支え骨８と、中軸２の下端部に固定された合成樹脂製の手元１０とを備えている。中軸２の上端には石突き１４が嵌着されている。
【００２０】
また、この傘１の閉状態において、下ろくろ６を手元１０に近接した位置に係止するための金属製留め金（はじき）１２が、中軸２の外周面から突出する方向にばね付勢された態様で中軸２に出没自在に設けられている。
【００２１】
図２は、図１の傘１の上端部の分解正面図である。なお、図２においては、一対の上ろくろ位置決め孔１６を備えた中軸２が、その軸線の周りで９０°回転した状態で示されている。上ろくろ３は、上ろくろ本体１８と、親骨枢支ディスク２０と、親骨外れ防止ナット２２とによって構成されている。上ろくろ３の上には生地Ｓを介して陣笠５が螺着される。
【００２２】
図３Ａ〜図３Ｄは上ろくろ本体１８を示し、図３Ａは平面図、図３Ｂは正面図、図３Ｃは底面図、図３Ｄは図３Ａの３Ｄ−３Ｄ線に沿う断面図である。
【００２３】
この上ろくろ本体１８は、中軸２の上ろくろ位置決め穴１６に係入される互いに対向する一対の突起２４，２４を内周面に備えた中軸挿通孔２６と、親骨４の根元部を収容するための８個の親骨収容溝２８を周縁にほぼ等間隔に放射状に形成した円板状のフランジ３０とを同軸的に備えた円筒体からなり、フランジ３０の上方には、環状の親骨枢支ディスク２０が嵌着される円筒部３１が連接され、さらにこの円筒部３１の上方には、雄ねじ３２が上端まで形成されているとともに、この上端から軸線を含む面に沿って下方へ延びる一対の割溝３４，３４が設けられている。
【００２４】
上ろくろ本体１８の内周面に形成されている上記一対の突起２４，２４は、図３Ａおよび図３Ｃから明らかなように、上記割り溝３４，３４および軸線を含む面に対して軸線上で直交する面上にあり、かつ上記円筒部３１からフランジ３０に亘る内周面に形成されている。そして上記割り溝３４，３４は、上ろくろ本体１８の上端から軸線と平行に下方へ向かってフランジ３０を通過してフランジ３０の下方まで延びている。
【００２５】
フランジ３０には、一つの同心円上に整列する８個のディスク位置決め孔３６が、隣接する親骨収容溝２８，２８の間の位置においてフランジ３０を貫通して形成されている。
【００２６】
図４Ａ〜図４Ｄは親骨枢支ディスク２０を示し、図４Ａは平面図、図４Ｂは正面図、図４Ｃは底面図、図４Ｄは図４Ａの４Ｄ−４Ｄ線に沿った断面図である。
【００２７】
上ろくろ本体１８のフランジ３０上に添接可能に構成された親骨枢支ディスク２０は、上ろくろ本体１８のフランジ３０とほぼ同径の外径と、上ろくろ本体１８の円筒部３１に嵌着可能な内径の軸孔３７とを備えて環状に構成され、フランジ３０の親骨収容溝２８に対応する８個の親骨収容溝３８を備えている。またその底面には、フランジ３０の８個のディスク位置決め孔３６に嵌合する８本の位置決め突起４０を備え、この親骨枢支ディスク２０がフランジ３０上に添接されると、双方の親骨収容溝２８，３８が一致するように構成されている。
【００２８】
親骨枢支ディスク２０の上面には、親骨４の根元部に形成された突軸４４（図５Ａ）を枢支するための突軸枢支溝４２が、各親骨収容溝３８の両側に親骨収容溝３８と直交するように形成されている。また、親骨枢支ディスク２０の上面の軸孔３７の周囲には突縁４６が形成されている。
【００２９】
図５Ａは、親骨４の根元部を示す底面図、図５Ｂは親骨４の根元部が親骨枢支ディスク２０に枢支された状態を示す平面図である。親骨４の根元部４ａは、上記親骨収容溝２８，３８内に挿入可能なように平に潰されるとともに、枢軸となる突軸４４が一体に形成されている。そして、突軸４４を備えた全ての親骨４の根元部４ａを、図５Ｂに示すように親骨枢支ディスク２０の上面に開口する親骨収容溝３８および突軸枢支溝４２に取り付けると、図５Ｂに示す状態となる。
【００３０】
図６Ａ，図６Ｂは親骨外れ防止ナット２２の断面図および底面図を示し、その軸孔４７の内周面には、上ろくろ本体１８の円筒部３１の雄ねじ３２に螺着される雌ねじ４８を備え、かつ底面の軸孔４７の周囲には、親骨枢支ディスク２０の突縁４６に嵌着される環状凹部５０を備えている。この親骨外れ防止ナット２２は、図５Ｂに示すようにすべての親骨４の根元部４ａを取り付けた親骨枢支ディスク２０に上方から嵌着することによって、親骨４の外れ防止して、上ろくろ３に対する親骨４の取り付け作業を容易にする機能を有する。
【００３１】
なお、親骨外れ防止ナット２２の代わりに、上ろくろ本体１８の円筒部３１の根元に比較的きつく嵌着される親骨外れ防止リングを用いてもよい。
【００３２】
以上のような構成を有する上ろくろ本体１８および親骨枢支ディスク２０を備えた上ろくろ３を中軸２に取り付ける場合には、先ず上ろくろ本体１８の突起２４，２４と、中軸２の上ろくろ位置決め孔１６，１６との方位を整合させた態様で上ろくろ本体１８を上方から中軸２に挿入するが、突起２４，２４が中軸２に当接すると、割溝３４，３４が突起２４，２４よりも下方まで延びていることにより、上ろくろ本体１８が弾性的に開いて中軸２の外周面における突起２４，２４の摺動が許容され、突起２４，２４が上ろくろ位置決め孔１６，１６に係入した時点で、上ろくろ本体１８は原状に復帰する。
【００３３】
次に、上方から中軸２に挿入した親骨枢支ディスク２０を上ろくろ本体１８の円筒部３１に嵌着し、親骨枢支ディスク２０の位置決め突起４０を上ろくろ本体１８のフランジ３０の位置決め孔３６に嵌合させた状態で、親骨枢支ディスク２０にすべての親骨４の根元部を枢支させた後、親骨枢支ディスク２０の上方に露出する雄ねじ３２に親骨外れ防止ナット２２を螺着して親骨枢支ディスク２０の上面に蓋をする。
【００３４】
図７Ａ，図７Ｂは陣笠と呼ばれる固定部材５の断面図および底面図を示し、この陣笠５は、その中軸２に挿通する軸孔５１の中間部に、上ろくろ本体１８の雄ねじ３２に嵌着される雌ねじ５２を備え、かつその底面に、親骨外れ防止ナット２２を収容する凹部５２を備えている。そして、中軸２が挿通される中心孔（図示せず）を備えた生地Ｓを親骨外れ防止ナット２２上に被せた後、陣笠５を上ろくろ本体１８の雄ねじ３２の上端部に螺着することにより、上ろくろ３が中軸２に強固に固定される。
【００３５】
次に、中軸２に摺動自在に嵌装される下ろくろ６は、図８Ａ〜図８Ｄに示す支え骨枢支部材５４と、この支え骨枢支部材５４の下側に連結される、図９Ａ〜図９Ｃに示すような下ろくろ本体５６とから構成されている。
【００３６】
図８Ａは支え骨枢支部材５４の平面図、図８Ｂは正面図、図８Ｃは底面図、図８Ｄは図８Ａの８Ｄ−８Ｄ線に沿った断面図である。
【００３７】
中軸２が通る軸孔５７を備えた支え骨枢支部材５４は、支え骨８の根元部を収容するための８個の支え骨収容溝５８を軸孔５７の周囲にほぼ等間隔に放射状に形成した比較的厚い環状の支え骨枢支ディスク部６０と、このディスク部６０の下面から同軸的に一体に垂設された、下ろくろ本体５６との連結用円筒部６２とから構成され、ディスク部６０の下面には、図５Ａに示した親骨４の場合と同様に支え骨８の根元部に形成された突軸（図示せず）を枢支するための、突軸枢支溝４２と同様の突軸枢支溝６４が、各支え骨収容溝５８の両側に支え骨収容溝５８と直交するように形成されている。またディスク部６０の下面には、下ろくろ本体５６に対して支え骨枢支部材５４を位置決めするための位置決め穴６６も開口している。連結用円筒部６２の外周には、係合突条６８が環設されている。
【００３８】
図９Ａは下ろくろ本体５６の平面図、図９Ｂはその正面図、図９Ｃは図９Ａの９Ｃ−９Ｃに沿った断面図である。上記支え骨枢支部材５４の軸孔５７と同径の軸孔６７を有し、かつ傘１の開閉操作時の掴み部となる細長い円筒部７０を備えた下ろくろ本体５６は、支え骨枢支部材５４のディスク部６０とほぼ同径のフランジ７０を上端に備え、上面中央には、支え骨枢支部材５４の円筒部６２を取り外し可能に嵌着させる凹部７２が同軸的に開口している。凹部７２の内周面には、支え骨枢支部材５４の円筒部６２の外周面に形成された突条６８と係合する溝７４が環設されている。また、円筒部７０の周面には、「はじき」と呼ばれる留め金１２を出没させる細長い開口部７６が形成されている。
【００３９】
フランジ７０の上面には、支え骨枢支部材５４の位置決め用孔６６に係入する２本の位置決め用突起７８，７８が凹部７２を挟んで対向しており、さらに、突起７８，７８と９０°偏位した位置のフランジ７０の周縁の上面の２箇所には、その部位のフランジ部分が下方へ湾曲した態様でフランジ７０の厚さとほぼ同一の深さを有する凹溝８０，８０が形成されている。これら凹溝８０，８０は、支え骨枢支部材５４が下ろくろ本体５６に嵌着された場合に、ディスク部６０との間に間隙を形成し、支え骨枢支部材５４を下ろくろ本体５６から取り外す場合には、適当な取外し用工具の先端をこの間隙に挿入し、かつこの工具をこじることにより、係合突条６８と係合溝７４との係合が外れて、支え骨枢支部材５４と下ろくろ本体５６とを分離させることができ、これによって、支え骨８が下ろくろ６から外れるようになっている。
【００４０】
図１０は、中軸２の下端部とともに示す手元１０の一部を断面とした分解正面図である。手元１０の中軸挿入孔１０ａに挿入されるパイプ状の中軸２の下端部の内部には、図１１Ａ，図１１Ｂに示すような手元固定ピン８１と、図１２Ａ〜図１２Ｃに示すようなバネ部材８２とが収容されている。図１３Ａは、図１０の１３Ａ−１３Ａ線に沿った拡大断面図である。中軸２の先端縁の一部には回転防止用の切欠き８３が形成されている。
【００４１】
図１１Ａ，図１１Ｂに示す手元固定ピン８１は、中軸２の壁面に開けられた小孔８４から出没可能な先端部８１ａと，小孔８４よりも大径のフランジ部８１ｂと、先端部８１ａとほぼ同径の後端部８１ｃとからなり、図１２Ａ〜図１２Ｃに示すバネ部材８２は、コ字状に折り曲げられた板バネよりなり、ピン８１を保持する前板部８２ａと、両側板部８２ｂ，８２ｂとを備えている。前板部８２ａには一端から溝８２ｃが中央部まで切り込まれ、この溝８２ｃに後端部８１ｃの根元が挿入されたピン８１は、図１３Ａに示すように、その先端部８１ａが中軸２の小孔８４から突出するようにバネ部材８２により弾性的に付勢された状態で支持されている。そして、ピン８１の先端部８１ａを押圧すると、図１３Ｂに示すように、バネ部材８２の両側板部８２ｂ，８２ｂが撓んで、ピン８１の先端部８１ａが中軸２の外周面から没入するように構成されている。
【００４２】
一方、手元１０の中軸挿入孔１０ａの周壁１０ｂには、手元固定ピン８１の先端部８１ａと係合する係合凹部９０が中軸挿入孔１０ａの内周面から周壁１０ｂの途中まで形成されており、図１３Ｂに示すように、バネ部材８２の付勢力に抗してピン８１の先端部８１ａを没入させた状態で、中軸２の下端部を手元１０の中軸挿入孔１０ａに挿入すると、中軸２の下端が中軸挿入孔１０ａの底端に達した時点でピン８１の先端部８１ａが係合凹部８５に係入して、手元１０が中軸２に固定される。
【００４３】
係合凹部９０からは細孔９１が周壁１０ｂの外周面に通じており、この細孔９１は、係合凹部９０の内径の三分の一程度の内径（約１ｍｍ程度）を有し、図１３Ｂに示すような取外し工具Ｔが備えている針状ピンＰの先端が挿入可能である。
【００４４】
手元１０の中軸挿入孔１０ａの底壁には、中軸２の切欠き８３と係合する係合部９４が設けられている。図１４Ａは手元１０の要部の拡大平面図を示し、図１４Ｂは図１０の１４Ｂ−１４Ｂ線に沿った拡大断面図である。この係合部９４は、中軸２の切欠き８３が約９０°の角度間隔を保って４個形成されている場合には、図１４Ａおよび図１４Ｂに示すように、４個の切欠き８３に係入し得る十字状の突縁で構成され、中軸２の切欠き８３が約１８０°の角度間隔を保って２個形成されている場合には、図１４Ｃに示すようにＩ字状の突縁で構成される。
【００４５】
図１５は、手元１０が中軸２に取り付けられた状態を示す要部の断面図である。中軸２から手元１０を取り外す場合には、図１３Ｂに示すような工具Ｔの針状ピンＰを細孔９１から挿入して手元固定ピン８１の先端部８１ａを押圧し、この先端部８１ａを中軸２の外周面から没入させることにより、中軸２を手元１０から容易に引き抜くことができる。
【００４６】
図１６Ａはおよび図１６Ｂは、手元１０に係合凹部９０を形成する場合の別の実施の形態を示し、図１６Ａは、中軸挿入孔１０ａの内周面に形成した環状溝９２によって係合凹部９０を形成した場合、図１６Ｂは、手元１０に嵌着したブッシュ９３に形成した透孔９３によって係合凹部９０を形成した場合である。図１６Ａ，１６Ｂに示す構成は、いずれも係合凹部９０の形成を容易にした態様である。なお、上記ブッシュ９３は手元と同様の合成樹脂で形成されるのが好ましい。
【００４７】
図１７Ａは木棒からなる中軸２′の下端部を示す要部の正面図、図１７Ｂは中軸内に手元固定ピンおよびバネ部材を収容した状態を示す断面側面図である。本実施の形態においては、図１７Ｂに示すような形状を有する板バネ部材８５を収容するための軸線方向に延びる幅の狭い溝８６が中軸２′に形成され、この溝８６の上部には、手元固定ピン８１′を収容する孔８７が形成されている。バネ部材８５は、中軸２′の溝８６内に固定されている根元部８５ａと、細長い弾性アーム部８５ｂとからなり、弾性アーム部８５ｂの先端にピン８１′が固定されて、中軸２′の外周面から弾性的に出没するように構成されている。
【００４８】
次に親骨４に対する生地（シート）の取付け構造について図１８および図１９Ａ，図１９８Ｂを参照して説明する。図１８は生地Ｓの部分的裏面図、図１９Ａは図１８のＡ部の拡大図、図１９Ｂは生地Ｓのループ状片９６に親骨を挿通した状態を示す図１８のＡ部の拡大図である。
【００４９】
本実施の形態においては、８本の親骨４が上ろくろ３を中心にして取り付けられる生地Ｓの裏面の親骨４との接触部に、各親骨４がそれぞれ挿通されるループ状片９６が予め生地Ｓに縫い込まれている。
【００５０】
生地Ｓに対するループ状片９６の取付け位置は、親骨４の両端のほぼ中間に対応する位置で、かつ親骨４に対する支え骨８の枢支点Ｐ（図１参照）よりも先端側に設定される。そして、親骨４に対する生地（シート）Ｓの取付けに際しては、親骨４の組付けに先立って８本の親骨４を所謂「お猪口」状態にすることにより、各親骨４の露先側からそれぞれループ状片９６を親骨４に挿入することができ、これによって生地Ｓと８本の親骨４とを容易に結合することができる。
【００５１】
次に、上述のような構成を有する傘１の好ましい分解手順について説明する。
【００５２】
（１）先ず、傘１を開いた状態で、支え骨枢支部材５４を前記した態様で下ろくろ本体５６から外し、すべての支え骨８の根元部を支え骨枢支部材５４から外す。
【００５３】
（２）陣笠５を緩む方向に回して上ろくろ本体１８の円筒状部分３１から外して中軸２から抜き取り、次いで親骨外れ防止ナット２２を円筒状部分３１から外して、すべての親骨４の根元部を親骨枢支ディスク２０から外して、親骨４を生地Ｓおよび支え骨８とともに中軸２から取り去る。この際、親骨４を所謂「お猪口」状態にすることにより、生地Ｓのループ状片９６を各親骨４の露先側に抜くことにより、生地Ｓを親骨４から外すことができる。
【００５４】
（３）親骨枢支ディスク２０、上ろくろ本体１８、支え骨枢支部材５４および下ろくろ本体５６を中軸２から上方へ抜き去る。
【００５５】
（４）図１３Ｂに示すような手元取外し工具Ｔの針状ピンＰを手元１０の細孔９１に挿入して手元固定ピン８１を押圧してピン８１を中軸２内に押入れて手元１０を中軸２から外す。
【００５６】
このようにして、金属製部材と樹脂製部材とが容易に分離され、完全な分別廃棄を可能にする。
【図面の簡単な説明】
【００５７】
【図１】本発明による手元の取付け構造を備えた傘の閉状態における全体構成を、一部を省略して示す概略図
【図２】傘の上端部の分解正面図
【図３Ａ】上ろくろ本体の平面図
【図３Ｂ】上ろくろ本体の正面図
【図３Ｃ】上ろくろ本体の底面図
【図３Ｄ】図３Ａの３Ｄ−３Ｄ線に沿う断面図
【図４Ａ】親骨枢支ディスクの平面図
【図４Ｂ】親骨枢支ディスクの正面図
【図４Ｃ】親骨枢支ディスクの底面図
【図４Ｄ】図４Ａの４Ｄ−４Ｄ線に沿った断面図
【図５Ａ】親骨の根元部の底面図
【図５Ｂ】親骨の根元部が親骨枢支ディスクに枢支された状態を示す平面図
【図６Ａ】親骨外れ防止ナットの断面図
【図６Ｂ】親骨外れ防止ナットの底面図
【図７Ａ】陣笠の断面図
【図７Ｂ】陣笠の底面図
【図８Ａ】支え骨枢支部材の平面図
【図８Ｂ】支え骨枢支部材の正面図
【図８Ｃ】支え骨枢支部材の底面図
【図８Ｄ】図８Ａの８Ｄ−８Ｄ線に沿った断面図
【図９Ａ】下ろくろ本体の平面図
【図９Ｂ】下ろくろ本体の正面図
【図９Ｃ】図９Ａの９Ｃ−９Ｃに沿った断面図
【図１０】中軸の下端部とともに示す一部を断面とした手元の分解正面図
【図１１Ａ】手元固定ピンの正面図
【図１１Ｂ】手元固定ピンの側面図
【図１２Ａ】バネ部材の平面図
【図１２Ｂ】バネ部材の正面図
【図１２Ｃ】バネ部材の側面図
【図１３Ａ】図１０の１３Ａ−１３Ａ線に沿った拡大断面図
【図１３Ｂ】図１３Ａの手元固定ピンが押圧された状態を手元取外し工具とともに示す拡大断面図
【図１４Ａ】手元の要部の拡大平面図
【図１４Ｂ】図１０の１４Ｂ−１４Ｂ線に沿った拡大断面図
【図１４Ｃ】図１４Ｂの変形を示す拡大断面図
【図１５】中軸と手元との結合状態を示す断面図
【図１６Ａ】手元に係合凹部を形成する場合の別の実施の形態を示す断面図
【図１６Ｂ】手元に係合凹部を形成する場合の別の実施の形態を示す断面図
【図１７Ａ】中軸の下端部を示す要部の正面図
【図１７Ｂ】木棒からなる中軸内に手元固定ピンおよびバネ部材を収容した状態を示す断面側面図
【図１８】生地の部分的裏面図
【図１９Ａ】図１８のＡ部の拡大図
【図１９Ｂ】生地のループ状片に親骨を挿通下状態を示す図１８のＡ部の拡大図
【符号の説明】
【００５８】
１    傘
２    中軸
３    上ろくろ
４    親骨
６    下ろくろ
８    支え骨
１０    手元
１２    支え骨
１６    上ろくろ位置決め穴
１８    上ろくろ本体
２０    親骨枢支ディスク
２２    親骨外れ防止ナット
２４    係合突起
２８，３８    親骨収容溝
３０    フランジ
３４    割溝
４２，６４    突軸枢支溝
５４    支え骨枢支部材
８１    手元固定ピン
８２    バネ部材
９０    係合凹部
９１    細孔
【図１】
2008125956.tif 000003
【図２】
2008125956.tif 000004
【図３Ａ】
2008125956.tif 000005
【図３Ｂ】
2008125956.tif 000006
【図３Ｃ】
2008125956.tif 000007
【図３Ｄ】
2008125956.tif 000008
【図４Ａ】
2008125956.tif 000009
【図４Ｂ】
2008125956.tif 000010
【図４Ｃ】
2008125956.tif 000011
【図４Ｄ】
2008125956.tif 000012
【図５Ａ】
2008125956.tif 000013
【図５Ｂ】
2008125956.tif 000014
【図６Ａ】
2008125956.tif 000015
【図６Ｂ】
2008125956.tif 000016
【図７Ａ】
2008125956.tif 000017
【図７Ｂ】
2008125956.tif 000018
【図８Ａ】
2008125956.tif 000019
【図８Ｂ】
2008125956.tif 000020
【図８Ｃ】
2008125956.tif 000021
【図８Ｄ】
2008125956.tif 000022
【図９Ａ】
2008125956.tif 000023
【図９Ｂ】
2008125956.tif 000024
【図９Ｃ】
2008125956.tif 000025
【図１０】
2008125956.tif 000026
【図１１Ａ】
2008125956.tif 000027
【図１１Ｂ】
2008125956.tif 000028
【図１２Ａ】
2008125956.tif 000029
【図１２Ｂ】
2008125956.tif 000030
【図１２Ｃ】
2008125956.tif 000031
【図１３Ａ】
2008125956.tif 000032
【図１３Ｂ】
2008125956.tif 000033
【図１４Ａ】
2008125956.tif 000034
【図１４Ｂ】
2008125956.tif 000035
【図１４Ｃ】
2008125956.tif 000036
【図１５】
2008125956.tif 000037
【図１６Ａ】
2008125956.tif 000038
【図１６Ｂ】
2008125956.tif 000039
【図１７Ａ】
2008125956.tif 000040
【図１７Ｂ】
2008125956.tif 000041
【図１８】
2008125956.tif 000042
【図１９Ａ】
2008125956.tif 000043
【図１９Ｂ】
2008125956.tif 000044